【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
複数の送信機のうちの１つの送信機からの複数の信号を受信することであって、前記複数の信号が、サブキャリアの第１のセット上で受信された第１の信号と、サブキャリアの第２のセット上で受信された第２の信号とを備える、受信することと、
複数の時間オフセットに関する第１の相関結果を取得するために、前記第１の信号に関する相関を実行することと、
前記複数の時間オフセットに関する第２の相関結果を取得するために、前記第２の信号に関する相関を実行することと、
前記第１の相関結果と前記第２の相関結果との合成の結果に少なくとも部分的に基づいて、前記複数の信号の到着時間（ＴＯＡ）を判断することと、
を備える測位をサポートする方法。
【請求項２】
前記第１の信号が、連続しないサブキャリアの前記第１のセット上で送られた基準信号を備え、前記第２の信号が、連続するサブキャリアの前記第２のセット上で送られた同期信号を備える請求項１に記載の方法。
【請求項３】
前記第１のセットが、システム帯域幅上に分散した連続しないサブキャリアを含み、前記第２のセットが、システム帯域幅の中央部分に連続するサブキャリアを含む請求項２に記載の方法。
【請求項４】
前記第１のセットが、システム帯域幅によって決定される構成可能な数のサブキャリアを含み、前記第２のセットが、前記システム帯域幅とは無関係な固定数のサブキャリアを含む請求項２に記載の方法。
【請求項５】
前記第１の信号が、連続しないサブキャリアの前記第１のセット上で送られた第１の基準信号を備え、前記第２の信号が、連続しないサブキャリアの前記第２のセット上で送られた第２の基準信号を備え、前記第１のセットと前記第２のセットとが、システム帯域幅上に分散した異なるサブキャリアを含む請求項１に記載の方法。
【請求項６】
前記送信機に関する前記ＴＯＡを前記判断することが、連続するサブキャリアの第３のセット上で前記送信機によって送られた同期信号を判断することをさらに備える請求項５に記載の方法。
【請求項７】
前記送信機に関する前記ＴＯＡを前記判断することが、連続するサブキャリアの第３のセット上で前記送信機によって送られた１次同期信号と２次同期信号とを判断することをさらに備える請求項５に記載の方法。
【請求項８】
前記第１のセットと前記第２のセットとが部分的に重複し、前記第１のセットと前記第２のセットとが、両方のセットに共通の少なくとも１つのサブキャリアを含む請求項１に記載の方法。
【請求項９】
前記第１セットと前記第２のセットとが重複せず、各セットが、他のセット中に含まれないサブキャリアを含む請求項１に記載の方法。
【請求項１０】
前記第１の信号に関する相関を前記実行することが、
前記第１の信号のために使用されたサブキャリアの前記第１のセットにマッピングされた既知のシンボルを用いて、サンプル系列を生成することと、
前記複数の時間オフセットに関する前記第１の相関結果を取得するために、受信機における受信サンプルと各時間オフセットにおける前記サンプル系列とを相関させることと、
を備える請求項１に記載の方法。
【請求項１１】
前記第１の相関結果と前記第２の相関結果とを前記合成することが、前記送信機に関する前記合成された相関結果を取得するために、前記第１の相関結果と前記第２の相関結果とをコヒーレント合成することを備える請求項１に記載の方法。
【請求項１２】
前記第１の相関結果と前記第２の相関結果とを前記合成することが、
各時間間隔に関する中間相関結果を取得するために、前記時間間隔に関する前記第１の相関結果と前記第２の相関結果とをコヒーレント合成することと、
前記送信機に関する前記合成された相関結果を取得するために、複数の時間間隔にわたって前記中間相関結果を非コヒーレント合成することと、
を備える請求項１に記載の方法。
【請求項１３】
前記送信機からの前記第１の信号に関する相関を前記実行することが、
信号帯域幅の複数の部分の各々について、前記第１の信号に関する相関を実行することと、
前記第１の相関結果を取得するために、前記信号帯域幅の前記複数の部分に関する相関結果を非コヒーレント合成することと、
を備える請求項１に記載の方法。
【請求項１４】
前記第１の相関結果と前記第２の相関結果とを前記合成することが、
各アンテナに関する中間相関結果を取得するために、前記送信機における前記アンテナに関する前記第１の相関結果と前記第２の相関結果とをコヒーレント合成することと、
前記送信機に関する前記合成された相関結果を取得するために、前記送信機における複数のアンテナにわたって前記中間相関結果を非コヒーレント合成することと、
を備える請求項１に記載の方法。
【請求項１５】
前記合成された相関結果に基づいて前記ＴＯＡを前記判断することが、
合成された相関結果がしきい値を超える最も早い時間オフセットを識別することと、
前記識別された時間オフセットに基づいて前記ＴＯＡを判断することと、
を備える請求項１に記載の方法。
【請求項１６】
前記合成された相関結果に基づいて前記ＴＯＡを前記判断することが、
合成された相関結果がしきい値を超える最も早い時間オフセットを識別することと、
補間された時間オフセットを取得するために、前記識別された時間オフセットに関する前記合成された相関結果を含む、少なくとも２つの合成された相関結果に対して補間を実行することと、
前記補間された時間オフセットに基づいて前記ＴＯＡを判断すること、
を備える請求項１に記載の方法。
【請求項１７】
前記補間された時間オフセットに基づいて前記ＴＯＡを前記判断することが、送信されたパルス形状と補間関数との間の既知のバイアスを考慮するための調整にさらに基づいて前記ＴＯＡを判断することを備える請求項１６に記載の方法。
【請求項１８】
複数の送信機のうちの送信機の複数のペアに関する観測到着時間差（ＯＴＤＯＡ）、送信機のペアごとに１つのＯＴＤＯＡを判断することであって、
各ＯＴＤＯＡが、前記対応するペア中の前記送信機に関するＴＯＡに基づいて判断される、判断することをさらに備え、
受信機に関するロケーション推定値が、送信機の前記複数のペアに関する前記ＯＴＤＯＡに基づいて判断される請求項１に記載の方法。
【請求項１９】
各送信機の前記ＴＯＡと各送信機の既知のロケーションとに少なくとも部分的に基づいて受信機に関するロケーション推定値を計算すること、
をさらに備える請求項１に記載の方法。
【請求項２０】
前記複数の送信機に関する支援データを受信することをさらに備え、受信機に関する前記ロケーション推定値が前記支援データを使用して計算される請求項１９に記載の方法。
【請求項２１】
前記複数の送信機に関するＴＯＡを備える測定情報をネットワークエンティティに送ることと、
前記ネットワークエンティティから、前記受信機に関するロケーション推定値を受信することであって、前記ロケーション推定値が前記複数の送信機に関する前記ＴＯＡに基づいて判断される、受信することと、
をさらに備える請求項１に記載の方法。
【請求項２２】
前記複数の送信機のうちの送信機の複数のペアに関する相対時間差（ＲＴＤ）、送信機のペアごとに１つのＲＴＤを判断することであって、各ＲＴＤが、前記対応するペア中の各送信機の前記ＴＯＡおよび各送信機の既知のロケーションと受信機の既知のロケーションとに少なくとも部分的に基づいて判断される、判断すること、
をさらに備える請求項１に記載の方法。
【請求項２３】
前記複数の送信機に関する支援データを受信することをさらに備え、前記複数の送信機に関するＴＯＡが前記支援データを使用して判断される請求項１に記載の方法。
【請求項２４】
各送信機が複数のセルのうちの１つのセルに関連付けられ、前記支援データが、各セルのセル識別情報（ＩＤ）、各セルのロケーション、各セルに関するキャリア周波数情報、各セルに関する巡回プレフィックス長さ、各セルに関する送信アンテナの数、前記セルに関する相対時間差（ＲＴＤ）、探索ウィンドウサイズ、またはそれらの組合せを備える請求項２３に記載の方法。
【請求項２５】
複数の送信機のうちの１つの送信機からの複数の信号を受信するための手段であって、前記複数の信号が、サブキャリアの第１のセット上で受信された第１の信号と、サブキャリアの第２のセット上で受信された第２の信号とを備える、受信することと、
複数の時間オフセットに関する第１の相関結果を取得するために、前記第１の信号に関する相関を実行するための手段と、
前記複数の時間オフセットに関する第２の相関結果を取得するために、前記第２の信号に関する相関を実行するための手段と、
前記第１の相関結果と前記第２の相関結果との合成の結果に少なくとも部分的に基づいて、前記複数の信号の到着時間（ＴＯＡ）を判断するための手段と、
を備える測位をサポートするための装置。
【請求項２６】
前記第１の信号が、連続しないサブキャリアの前記第１のセット上で送られた基準信号を備え、前記第２の信号が、連続するサブキャリアの前記第２のセット上で送られた同期信号を備える請求項２５に記載の装置。
【請求項２７】
前記第１の信号が、連続しないサブキャリアの前記第１のセット上で送られた第１の基準信号を備え、前記第２の信号が、連続しないサブキャリアの前記第２のセット上で送られた第２の基準信号を備え、前記第１のセットと前記第２のセットとが、システム帯域幅上に分散した異なるサブキャリアを含む請求項２５に記載の装置。
【請求項２８】
前記第１の相関結果と前記第２の相関結果とを合成するための前記手段が、
各時間間隔に関する中間相関結果を取得するために、前記時間間隔に関する前記第１の相関結果と前記第２の相関結果とをコヒーレント合成するための手段と、
前記送信機に関する前記合成された相関結果を取得するために、複数の時間間隔にわたって前記中間相関結果を非コヒーレント合成するための手段と、
を備える請求項２５に記載の装置。
【請求項２９】
前記第１の相関結果と前記第２の相関結果とを合成するための前記手段が、
各アンテナに関する中間相関結果を取得するために、前記送信機における前記アンテナに関する前記第１の相関結果と前記第２の相関結果とをコヒーレント合成するための手段と、
前記送信機に関する前記合成された相関結果を取得するために、前記送信機における複数のアンテナにわたって前記中間相関結果を非コヒーレント合成するための手段と、
を備える請求項２５に記載の装置。
【請求項３０】
複数の送信機のうちの１つの送信機からの複数の信号を受信することであって、前記複数の信号が、サブキャリアの第１のセット上で受信された第１の信号と、サブキャリアの第２のセット上で受信された第２の信号とを備える、受信することと、
複数の時間オフセットに関する第１の相関結果を取得するために、前記第１の信号に関する相関を実行することと、
前記複数の時間オフセットに関する第２の相関結果を取得するために、前記第２の信号に関する相関を実行することと、
前記第１の相関結果と前記第２の相関結果との合成の結果に少なくとも部分的に基づいて、前記複数の信号の到着時間（ＴＯＡ）を判断することと、
を行うように構成された少なくとも１つのプロセッサを備える、測位をサポートするための装置。
【請求項３１】
前記第１の信号が、連続しないサブキャリアの前記第１のセット上で送られた基準信号を備え、前記第２の信号が、連続するサブキャリアの前記第２のセット上で送られた同期信号を備える請求項３０に記載の装置。
【請求項３２】
前記第１の信号が、連続しないサブキャリアの前記第１のセット上で送られた第１の基準信号を備え、前記第２の信号が、連続しないサブキャリアの前記第２のセット上で送られた第２の基準信号を備え、前記第１のセットと前記第２のセットとが、システム帯域幅上に分散した異なるサブキャリアを含む請求項３０に記載の装置。
【請求項３３】
前記少なくとも１つのプロセッサがさらに、
各時間間隔に関する中間相関結果を取得するために、前記時間間隔に関する前記第１の相関結果と前記第２の相関結果とをコヒーレント合成することと、
前記送信機に関する前記合成された相関結果を取得するために、複数の時間間隔にわたって前記中間相関結果を非コヒーレント合成することと、
を行うように構成された請求項３２に記載の装置。
【請求項３４】
前記少なくとも１つのプロセッサがさらに、
各アンテナに関する中間相関結果を取得するために、前記送信機における前記アンテナに関する前記第１の相関結果と前記第２の相関結果とコヒーレント合成することと、
前記送信機に関する前記合成された相関結果を取得するために、前記送信機における複数のアンテナにわたって前記中間相関結果を非コヒーレント合成することと、
を行うように構成された、請求項３０に記載の装置。
【請求項３５】
少なくとも１つのプロセッサに、複数の送信機のうちの１つの送信機からの複数の信号を受信させるためのコードであって、前記複数の信号が、サブキャリアの第１のセット上で受信された第１の信号と、サブキャリアの第２のセット上で受信された第２の信号とを備える、受信させるためのコードと、
前記少なくとも１つのプロセッサに、複数の時間オフセットに関する第１の相関結果を取得するために、前記第１の信号に関する相関を実行させるためのコードと、
前記少なくとも１つのプロセッサに、前記複数の時間オフセットに関する第２の相関結果を取得するために、前記第２の信号に関する相関を実行させるためのコードと、
前記少なくとも１つのプロセッサに、前記第１の相関結果と前記第２の相関結果との合成の結果に少なくとも部分的に基づいて、前記複数の信号の到着時間（ＴＯＡ）を判断させるためのコードと、
を備える非一時的なコンピュータ可読媒体を備えるコンピュータ・プログラム製品。